(57)【特許請求の範囲】
【請求項１】
浴室内に開口した吸気口及び吐出口と、浴室外に開口した排気口と、前記吸気口と排気口とを連絡する換気風路と、前記吸気口と吐出口とを連絡する除湿風路及び循環風路と、前記吸気口に配置した第１及び第２の送風機と、前記除湿風路中に配置した除湿手段とを備え、前記第１の送風機を運転して前記換気風路から前記排気口に浴室内の空気を排気する換気運転と、前記第２の送風機を運転して浴室内の空気を前記吸気口から前記循環風路を経て前記吐出口へと循環させる循環運転を実行した後、換気運転をせずに循環運転と、前記第１の送風機と前記除湿手段とを同時に運転して浴室内の空気を前記吸気口から前記除湿風路を経て前記吐出口へと循環させる除湿運転とを実行するようにした浴室乾燥機。
【請求項２】
浴室内に開口した第１の吸気口及び第２の吸気口と、浴室内に開口した第１の吐出口及び第２の吐出口と、浴室外に開口した排気口と、前記第１の吸気口と排気口とを連絡する換気風路と、第１の吸気口と第１の吐出口とを連絡する除湿風路と、第２の吸気口と第２の吐出口とを連絡する循環風路と、前記第１の吸気口に配置した第１の送風機と、第２の吸気口に配置した第２の送風機と、前記除湿風路中に配置した除湿手段とを備え、前記第１の吸気口に配置した前記第１の送風機を運転して前記換気風路から前記排気口に浴室内の空気を排気する換気運転と、前記第２の吸気口に配置した前記第２の送風機を運転して浴室内の空気を前記第２の吸気口から前記循環風路を経て前記第２の吐出口へと循環させる循環運転を実行した後、換気運転をせずに循環運転と、前記第１の送風機と前記除湿手段とを同時に運転して浴室内の空気を前記第１の吸気口から前記除湿風路を経て前記第１の吐出口へと循環させる除湿運転とを実行するようにした浴室乾燥機。
【請求項３】
除湿手段は、湿気を吸着する吸着剤と、前記吸着剤を再生する再生加熱手段と、除湿風路と排気口とを接続する再生風路と、前記吸着剤を通過した後の空気を吐出口側と前記再生風路側とに切り換える再生風路切換手段とを備え、前記除湿風路内の風上側に前記再生加熱手段を、次に前記吸着剤を、さらに風下側に前記再生風路と再生風路切換手段を配置した請求項１または２に記載した浴室乾燥機。
【請求項４】
除湿手段は、冷媒と冷媒循環手段と熱交換器からなる冷却器と、冷却除湿によって発生した結露水を浴室外に排出する水処理手段とを備えた請求項１に記載した浴室乾燥機。
【請求項５】
除湿手段は、冷媒と冷媒循環手段と熱交換器からなる冷却器と、冷却除湿によって発生した結露水を浴室外に排出する水処理手段と、浴室空気を加熱する加熱手段とを備えた請求項１に記載した浴室乾燥機。
【発明の詳細な説明】
【０００１】
【発明の属する技術分野】
本発明は、一般家庭の浴室で使用して、入浴後の浴室内の水滴を乾燥させて、浴室内の空気の相対湿度を低減する機能を有する浴室乾燥機に関するものである。
【０００２】
【従来の技術】
図４は従来例の浴室乾燥機の構造を示している。図５は浴室乾燥機を浴室に設置した場合の空気の流れを示すものである。本体１は、第１の送風機２と第２の送風機３とヒータ４を有している。
【０００３】
以上の構成で、本体１を図５に示しているように浴室の天井に配置して使用するものである。浴室を乾燥運転するときは、第１の送風機２と第２の送風機３とヒータ４を通電する。ヒータ４によって加熱された温風が第２の送風機３によって浴室内を循環して、浴室内の水滴を蒸発させる。同時に第１の送風機２によって、発生した湿気を室外に排出するものである。こうして、浴室内の乾燥は進行する。また換気時には、図５に示しているように浴室ドアに設けたグリル５を通して、浴室外の洗面所から外気が流入するものである。
【０００４】
【発明が解決しようとする課題】
前記従来の構成の浴室乾燥機は、乾燥運転の初期の段階から空気加熱を行っており、浴室外の空気の乾燥能力を有効に活用していないものである。また、換気によって、乾燥のために上げた浴室内の温度を下げているものである。
【０００５】
【課題を解決するための手段】
本発明は、換気風路から排気口に浴室内の空気を排気する換気運転と、浴室内の空気を吸気口から循環風路を経て吐出口へと循環させる循環運転を実行した後、換気運転をせずに循環運転と、浴室内の空気を吸気口から除湿風路を経て吐出口へと循環させる除湿運転とを実行するようにしたものである。
【０００６】
【発明の実施の形態】
請求項１に記載した発明は、浴室内に開口した吸気口及び吐出口と、浴室外に開口した排気口と、前記吸気口と排気口とを連絡する換気風路と、前記吸気口と吐出口とを連絡する除湿風路及び循環風路と、前記吸気口に配置した第１及び第２の送風機と、前記除湿風路中に配置した除湿手段とを備え、前記第１の送風機を運転して前記換気風路から前記排気口に浴室内の空気を排気する換気運転と、前記第２の送風機を運転して浴室内の空気を前記吸気口から前記循環風路を経て前記吐出口へと循環させる循環運転を実行した後、換気運転をせずに循環運転と、前記第１の送風機と前記除湿手段とを同時に運転して浴室内の空気を前記吸気口から前記除湿風路を経て前記吐出口へと循環させる除湿運転とを実行するようにしたものであり、浴室全体が濡れて多湿の間は循環運転と換気運転のみを実行し、その後、換気運転をせずに循環運転と除湿運転とを実行して、省エネルギーで浴室を乾燥するものである。
【０００７】
請求項２に記載した発明は、浴室内に開口した第１の吸気口及び第２の吸気口と、浴室内に開口した第１の吐出口及び第２の吐出口と、浴室外に開口した排気口と、前記第１の吸気口と排気口とを連絡する換気風路と、第１の吸気口と第１の吐出口とを連絡する除湿風路と、第２の吸気口と第２の吐出口とを連絡する循環風路と、前記第１の吸気口に配置した第１の送風機と、第２の吸気口に配置した第２の送風機と、前記除湿風路中に配置した除湿手段とを備え、前記第１の吸気口に配置した前記第１の送風機を運転して前記換気風路から前記排気口に浴室内の空気を排気する換気運転と、前記第２の吸気口に配置した前記第２の送風機を運転して浴室内の空気を前記第２の吸気口から前記循環風路を経て前記第２の吐出口へと循環させる循環運転を実行した後、換気運転をせずに循環運転と、前記第１の送風機と前記除湿手段とを同時に運転して浴室内の空気を前記第１の吸気口から前記除湿風路を経て前記第１の吐出口へと循環させる除湿運転とを実行するようにしたものであり、浴室全体が濡れて多湿の間は循環運転と換気運転のみを実行し、その後、換気運転をせずに循環運転と除湿運転とを実行して、省エネルギーで浴室を乾燥するものである。
【０００８】
請求項３に記載した発明は、除湿手段は、湿気を吸着する吸着剤と、前記吸着剤を再生する再生加熱手段と、除湿風路と排気口とを接続する再生風路と、前記吸着剤を通過した後の空気を吐出口側と前記再生風路側とに切り換える再生風路切換手段とを備え、前記除湿風路内の風上側に前記再生加熱手段を、次に前記吸着剤を、さらに風下側に前記再生風路と再生風路切換手段を配置したものであり、吸着剤の再生で発生する湿気を換気風路と共通の排気口を利用して浴室外に排出でき、吸着剤を使った除湿が容易にできる浴室乾燥機としている。
【０００９】
請求項４に記載した発明は、除湿手段は、冷媒と冷媒循環手段と熱交換器からなる冷却器と、冷却除湿によって発生した結露水を浴室外に排出する水処理手段とを備えたものであり、除湿中は湿気を排出するために換気をする必要がなく、連続した除湿運転が実行でき、より短時間で浴室を乾燥することができるものである。
【００１０】
請求項５に記載した発明は、除湿手段は、冷媒と冷媒循環手段と熱交換器からなる冷却器と、冷却除湿によって発生した結露水を浴室外に排出する水処理手段と、浴室空気を加熱する加熱手段とを備えたものであり、冷却・除湿によって多湿になる浴室内の空気を加熱することで相対湿度を下げることができ、連続した除湿運転が実行でき、より短時間で浴室を乾燥することができるものである。
【００１１】
【実施例】
（実施例１）
以下、本発明の第１の実施例を図１を用いて説明する。図１は本実施例の構成を示す断面図である。本体６は、図５に示した従来例と同様、浴室の天井に配置している。本体６には、浴室内に開口した第１の吸気口７ａ及び第２の吸気口７ｂと、浴室内に開口した第１の吐出口８ａ及び第２の吐出口８ｂと、浴室外に開口した排気口９と、第１の吸気口７ａと排気口９とを連絡する換気風路１４と、第１の吸気口７ａと第１の吐出口８ａとを連絡する除湿風路１５と、第２の吸気口７ｂと第２の吐出口８ｂとを連絡する循環風路１６と、第１の吸気口７ａに配置した第１の送風機１０と、第２の吸気口７ｂに配置した第２の送風機１１と、除湿風路１５中に配置した除湿手段１３とを備えている。
【００１２】
除湿手段１３は、湿気を吸着する吸着剤１７と、吸着剤１７が吸着した湿気を脱着して吸着剤１７を再生する再生加熱手段１８と、除湿風路１５と排気口９とを接続している再生風路１９と、再生風路切換手段２０とによって構成している。再生風路切換手段２０は、吸着剤１７を通過した後の空気の流れを吐出口８ａ側と再生風路１９側とに切り換えている。また、前記吸着剤１７・再生加熱手段１８・再生風路１９・再生風路切換手段２０は、この順序で除湿風路中に配置している。つまり風上側に再生加熱手段１８を、次に吸着剤１７を、さらに風下側に再生風路１９と再生風路切換手段２０とを配置している。本実施例では、吸着剤１７としてゼオライトやシリカゲルを使用している。再生加熱手段１８としてはニクロムヒータなどの電気ヒータを使用しているが、特にこれに限定するものではなく、ガス燃焼加熱や電磁誘導加熱なども使用できる。また、排気口９には屋外等に開口している風洞を接続している。
【００１３】
以下、本実施例の動作について説明する。入浴後など浴室内の全面に水滴が付着して多湿の間は、換気と循環によって乾燥を行う。つまり、換気風路切換手段１２を換気風路１４側が開口するように制御し、この状態で第１の送風機１０を作動するものである。第１の送風機１０は、浴室内の多湿の空気を第１の吸気口７ａから吸気して、排気口９から排気口９に接続した風洞を介して屋外に排気する。浴室内の空気が排気されると、同時に浴室に隣接している洗面所の空気が浴室ドアのグリル５から流入する。すなわち浴室内の空気を浴室外に換気するものである。また同時に第２の送風機１１が始動して、浴室内の空気を第２の吸気口７ｂから吸気して第２の吐出口８ｂに戻す循環を実行する。換気動作による浴室内の空気の流れは、浴室ドアのグリル５から第１の吸気口７ａへ向けてのスムーズな一過性の流れであり、換気による風の流れが浴室内の全面に回ることは少ないものである。しかし、換気運転に併せて循環運転を実行した場合には、空気は撹拌されるため、換気で導入される浴室外の比較的低湿の空気が浴室内の空気と混合されて、浴室内の湿度を低減できるものである。また、この循環による空気の流れは、効率よく浴室内の壁面・天井面・床面と接触して、表面に付着している水滴を蒸発させるものである。すなわち、換気と循環とによって、湿度が低減された空気が浴室内の全面と接触して、浴室の乾燥が進行するものである。
【００１４】
浴室内の乾燥が進行して水滴の残量が減少すれば、浴室外の空気を利用しても乾燥の進行が期待できないため、本実施例では循環と除湿を行うようにしている。つまり、換気風路切換手段１２を除湿風路１５側が開口するように制御し、この状態で第１の送風機１０が動作するものである。これによって、浴室内の空気は第１の吸気口７ａから吸気されて除湿風路１５に送られる。除湿風路１５中には吸着剤１７を配置してあり、吸着剤１７と接触した空気は吸着剤１７に水分を吸着されて除湿され、相対湿度の低い空気となる。また、この空気は吸着剤１７の吸着熱を受けており、温度が上昇している。つまり、吸着剤１７を通過した後の空気は、湿気が除去された状態で温度が上昇しており、相対湿度がかなり低くなっているものである。つまり、乾燥能力が高まっているものである。この空気は第１の吐出口８ａから浴室内に送られる。同時に、第２の送風機１１が作動して浴室内の空気を循環させる。つまり、浴室内の空気を第２の吸気口７ｂから吸気して、第２の吐出口８ｂに戻している。つまり、除湿によって浴室内の空気をさらに低湿にして、大風量の空気を循環して効率よく浴室内全体に当て、さらに速く水滴を蒸発させているものである。
【００１５】
吸着剤１７の水分吸着量には限界があり、除湿を続けると水分吸着量が減少するため、浴室の多量の空気を除湿するには除湿中に吸着剤１７を再生する再生運転が必要がある。本実施例では、吸着剤１７による除湿は、吸着運転と再生運転とを組み合わせた時間管理によるサイクル運転を基本としている。この再生運転は、再生風路切換手段２０を再生風路１９側が開口するようにして、第１の送風機１０と再生用加熱手段１８を通電するものである。こうすることによって、第１の送風機１０が第１の吸気口７ａから吸気した空気は再生加熱手段１８によって高温となって、吸着剤１７と接触するものである。吸着剤１７はこの高温の空気によって吸着していた水分を脱着されて、再び活性化する。吸着剤が脱着した水分を含んで多湿となった空気は、再生風路１９を通って、排気口９から排気される。このように本実施例では、吸着と再生とを繰り返すようにして、浴室内の空気を除湿し続けるようにしている。
【００１６】
前記吸着と再生の時間は、吸着剤１７としてゼオライトを使用する場合は、ゼオライトの重量や通過させる風量、再生温度等によって変わるが、４分間吸着４分間再生程度の時間配分になる。
【００１７】
水滴の蒸発量を増やすためには、水滴と接触する空気の量を多くする、つまり循環風量を大きく設定する必要があるが、吸着剤１７を使用する構成としている場合には、吸着剤による圧力損失が大きいため、循環に必要な大風量を得ることは容易ではないものである。この点、本実施例では除湿風路１５とは別に循環風路１６を設けているものである。このため、除湿に最適な除湿風量と水滴の蒸発に最適な循環風量とが容易に得られるものである。
【００１８】
なお本実施例では、第１の吸気口７ａと第２の吸気口７ｂ、第１の吐出口８ａと第２の吐出口８ｂを別に設けているが、共通の吸気口・共通の吐出口とすることは容易にできるものである。
【００１９】
以上のように、本実施例によれば、浴室内の全面が濡れて多湿の間は、換気と循環によって浴室外の比較的低湿の空気を利用して乾燥を行い、乾燥が進んで水滴の残量が減少すれば除湿と循環を行うようにしているため、省エネルギーで素速く乾燥ができる浴室乾燥機を実現するものである。
【００２０】
（実施例２）
次に、本発明の第２の実施例について図２を用いて説明する。図２は本実施例の構成を示す断面図である。本実施例では、除湿手段１３として、冷媒２１と冷媒循環手段２２と熱交換器２３からなる冷却器２４と、冷却除湿によって発生した結露水を浴室外に排出する水処理手段２５とを使用している。冷媒２１がフロンなどのガスの場合には、冷媒循環手段２２としては圧縮機２６を、熱交換器２３としては蒸発器２７と凝縮器２８を使用できる。
【００２１】
以下本実施例の動作について説明する。実施例１と同様にして浴室内の乾燥が進行して、浴室内の水滴の残量が減少した段階で、本実施例でも循環と除湿を行っている。つまり換気風路切換手段１２を、除湿風路１５側が開口するように制御して、第１の送風機１０を運転するものである。第１の送風機１０が運転されると、浴室内の空気は第１の吸気口７ａから吸気され、除湿風路１５に送風される。蒸発器２７では冷媒２１が気化して気化熱を奪っている。このため、送風された空気が蒸発器２７に接触すると冷却され除湿される。このときに発生する結露水は、水処理手段２５に集められ浴室外に流出する。蒸発器２７を通過した空気が蒸発器２８に達すると、凝縮器２８では冷媒２１が液化して凝縮熱を放熱しているため、この凝縮熱を受けて昇温され、乾いた乾燥空気なる。この乾燥空気は、第１の吐出口８ａから浴室内に送られる。
【００２２】
このとき、同時に第２の送風機１１が作動している。つまり、浴室内の空気を第２の吸気口７ｂから吸気して第２の吐出口８ｂに戻す循環運転を実行している。このため実施例１で説明したように、浴室内の空気が撹拌されるため、除湿による低湿の温風と浴室内の空気とが混合されて、浴室内の湿度を低減できるものである。また、この循環による空気の流れは、効率よく浴室内の壁面・天井面・床面と接触して、表面に付着している水滴を蒸発させるものである。すなわち、除湿と循環とによって、湿度が低減された空気が浴室内の全面と接触して、浴室の乾燥が進行するものである。
【００２３】
このとき本実施例では、除湿風路１５とは別に循環風路１６を設けているものである。このため、除湿に最適な除湿風量と水滴の蒸発に最適な循環風量とが容易に得られるものである。つまり、水滴の蒸発量を増やすためには、水滴と接触する空気の量を多くする、つまり循環風量を大きく設定する必要があるが、熱交換機２３を使用する構成としている場合には、熱交換機２３の表面に並んでいるフィンによる圧力損失が大きいため、循環に必要な大風量を得ることは容易ではないものである。この点、本実施例では、除湿風路１５とは別に循環風路１６を設けているので、除湿に最適な除湿風量と水滴の蒸発に最適な循環風量とを容易に得ることができるものである。
【００２４】
また実施例１で説明した吸着剤を使用する構成の場合には吸着剤１７を活性化する再生運転を必要としているものであるが、本実施例の冷凍方式では連続した除湿運転が実行できるものである。より短時間で浴室を乾燥することができるものである。
【００２５】
（実施例３）
続いて本発明の第３の実施例について説明する。図３は本実施例の構成を示す断面図である。本実施例では、除湿手段１３を、冷媒２１と冷媒循環手段２２と熱交換器２３からなる冷却器２４と、冷却除湿によって発生した結露水を浴室外に排出する水処理手段２５によって構成している。冷媒２１としては水道水を使用しており、冷媒循環手段２２としてポンプ２９と加熱手段３０とを使用している。
【００２６】
以下本実施例の動作について説明する。本実施例でも、浴室内の乾燥が所定のレベルまで進んでからは、循環運転と除湿運転を行っているものである。つまり、換気風路切換手段１２を除湿風路１５側が開口するように制御して、この状態で第１の送風機１０を運転するものである。第１の送風機１０を運転すると、浴室内の空気は第１の吸気口７ａから吸気され、除湿風路１５に送風される。この空気は、冷媒２１である水道水が流れている熱交換器２３と接触して、冷却除湿される。冷却除湿によって発生した結露水は、水処理手段２５によって浴室外に排出される。この冷却除湿された空気は加熱手段３０によって加熱され、乾いた温風となって、第１の吐出口８ａから浴室内に送られる。
【００２７】
このとき同時に、実施例１・実施例２で説明したように、第２の送風機１１が循環運転を実行しているものである。つまり、浴室内の空気を第２の吸気口７ｂから吸気して第２の吐出口８ｂに戻しているものである。こうして浴室内の空気は撹拌され、除湿による低湿の温風と浴室内の空気とが混合されて、浴室内の湿度を低減するものである。また、この循環による空気の流れは、効率よく浴室内の壁面・天井面・床面と接触して、表面に付着している水滴を蒸発させるものである。すなわち、除湿と循環とによって、湿度が低減された空気が浴室内の全面と接触して、浴室の乾燥が進行するものである。
【００２８】
以上のように本実施例は、冷媒として水を使用する簡単な構成で、連続した除湿運転が実行できるものである。つまり、より短時間で浴室を乾燥することができるものである。
【００２９】
【発明の効果】
請求項１に記載した発明によれば、浴室内に開口した吸気口及び吐出口と、浴室外に開口した排気口と、前記吸気口と排気口とを連絡する換気風路と、前記吸気口と吐出口とを連絡する除湿風路及び循環風路と、前記吸気口に配置した第１及び第２の送風機と、前記除湿風路中に配置した除湿手段とを備え、前記第１の送風機を運転して前記換気風路から前記排気口に浴室内の空気を排気する換気運転と、前記第２の送風機を運転して浴室内の空気を前記吸気口から前記循環風路を経て前記吐出口へと循環させる循環運転を実行した後、換気運転をせずに循環運転と、前記第１の送風機と前記除湿手段とを同時に運転して浴室内の空気を前記吸気口から前記除湿風路を経て前記吐出口へと循環させる除湿運転とを実行するようにしたから、浴室全体が濡れて多湿の間は循環運転と換気運転のみを実行し、その後、換気運転をせずに循環運転と除湿運転とを実行でき、省エネルギーで浴室を乾燥できる浴室乾燥機を実現できるものである。
【００３０】
請求項２に記載した発明によれば、浴室内に開口した第１の吸気口及び第２の吸気口と、浴室内に開口した第１の吐出口及び第２の吐出口と、浴室外に開口した排気口と、前記第１の吸気口と排気口とを連絡する換気風路と、第１の吸気口と第１の吐出口とを連絡する除湿風路と、第２の吸気口と第２の吐出口とを連絡する循環風路と、前記第１の吸気口に配置した第１の送風機と、第２の吸気口に配置した第２の送風機と、前記除湿風路中に配置した除湿手段とを備え、前記第１の吸気口に配置した前記第１の送風機を運転して前記換気風路から前記排気口に浴室内の空気を排気する換気運転と、前記第２の吸気口に配置した前記第２の送風機を運転して浴室内の空気を前記第２の吸気口から前記循環風路を経て前記第２の吐出口へと循環させる循環運転を実行した後、換気運転をせずに循環運転と、前記第１の送風機と前記除湿手段とを同時に運転して浴室内の空気を前記第１の吸気口から前記除湿風路を経て前記第１の吐出口へと循環させる除湿運転とを実行するようにしたから、浴室全体が濡れて多湿の間は循環運転と換気運転のみを実行し、その後、換気運転をせずに循環運転と除湿運転とを実行でき、省エネルギーで浴室を乾燥できる浴室乾燥機を実現できるものである。
【００３１】
請求項３に記載した発明によれば、除湿手段は、湿気を吸着する吸着剤と、前記吸着剤を再生する再生加熱手段と、除湿風路と排気口とを接続する再生風路と、前記吸着剤を通過した後の空気を吐出口側と前記再生風路側とに切り換える再生風路切換手段とを備え、前記除湿風路内の風上側に前記再生加熱手段を、次に前記吸着剤を、さらに風下側に前記再生風路と再生風路切換手段を配置したから、吸着剤の再生で発生する湿気を換気風路と共通の排気口を利用して浴室外に排出でき、吸着剤を使った除湿が容易にできる浴室乾燥機を実現できるものである。
【００３２】
請求項４に記載した発明によれば、除湿手段は、冷媒と冷媒循環手段と熱交換器からなる冷却器と、冷却除湿によって発生した結露水を浴室外に排出する水処理手段とを備えたから、除湿中は湿気を排出するために換気をする必要がなく、連続した除湿運転が実行でき、より短時間で浴室を乾燥することができる浴室乾燥機を実現するものである。
【００３３】
請求項５に記載した発明によれば、除湿手段は、冷媒と冷媒循環手段と熱交換器からなる冷却器と、冷却除湿によって発生した結露水を浴室外に排出する水処理手段と、浴室空気を加熱する加熱手段とを備えたから、冷媒として水が使用できる簡単な構成で、除湿中は湿気を排出するために換気をする必要がなく、連続した除湿運転が実行でき、より短時間で浴室を乾燥することができる浴室乾燥機を実現するものである。
【図面の簡単な説明】
【図１】  本発明の第１の実施例の構造を示す浴室乾燥機の断面図
【図２】  本発明の第２の実施例の構造を示す浴室乾燥機の断面図
【図３】  本発明の第３の実施例の構造を示す浴室乾燥機の断面図
【図４】  従来の浴室乾燥機の構造を示す断面図
【図５】  同、浴室乾燥機を浴室に取り付けた配置を示す説明図
【符号の説明】
６  本体
７ａ  第１の吸気口
７ｂ  第２の吸気口
８ａ  第１の吐出口
８ｂ  第２の吐出口
９  排気口
１０  第１の送風機
１１  第２の送風機
１２  換気風路切換手段
１３  除湿手段
１４  換気風路
１５  除湿風路
１６  循環風路
１７  吸着剤
１８  再生用加熱手段
１９  再生風路
２０  再生風路切換手段
２１  冷媒
２２  冷媒循環手段
２３  熱交換器
２４  冷却器
２５  水処理手段
２６  圧縮器
２７  蒸発器
２８  凝縮器
２９  ポンプ
３０  加熱手段
【図１】
0003807028.tif 000002
【図２】
0003807028.tif 000003
【図３】
0003807028.tif 000004
【図４】
0003807028.tif 000005
【図５】
0003807028.tif 000006